【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
長手方向軸１７６の周りに位置決めされた、部分的に磁性のトロイダルシリンダ１００、及び、長手方向軸１７６の周りに位置決めされたコイルアッセンブリ１８２を備える、電気モータ／ジェネレータであって、
前記部分的に磁性のトロイダルシリンダ１００が、
磁気シリンダ外壁１０２、
磁気シリンダ内壁１０４、
第１の磁気側壁１７０、及び
第２の磁気側壁１７２、を含み、
前記磁気シリンダ外壁１０２、及び前記磁気シリンダ内壁１０４、第１の磁気側壁１７０、及び第２の磁気側壁１７２が、内部空洞１２４を形成するように位置決めされており、且つ前記内部空洞１２４に対向して同じ磁極を有し、外部磁気シリンダ壁１０２は、第１の磁気側壁１７０、又は第２の磁気側壁１７２の何れかよりも大きい磁気質量を有し、
前記長手方向軸１７６の周りに位置決めされたコイルアッセンブリが、
前記内部空洞１２４内の一部分に位置決めされたコア１１０、１３２、及び
前記コア１１０、１３２の周りに放射状に位置決めされた複数のコイル、を含み、
前記コイルアセンブリ１８２が前記部分的に磁性のトロイダルシリンダ１００に対して回転する、電気モータ／ジェネレータ。
【請求項２】
長手方向軸１７６の周りに位置決めされた、部分的に磁性のトロイダルシリンダ１００、及び、長手方向軸１７６の周りに位置決めされたコイルアッセンブリ１８２を備える、電気モータ／ジェネレータであって、
前記部分的に磁性のトロイダルシリンダ１００が、
磁気シリンダ外壁１０２、
磁気シリンダ内壁１０４、
第１の磁気側壁１７０、及び
第２の磁気側壁１７２、を含み、
前記磁気シリンダ外壁１０２、及び前記磁気シリンダ内壁１０４、第１の磁気側壁１７０、及び第２の磁気側壁１７２が、内部空洞１２４を形成するように位置決めされており、且つ前記内部空洞１２４に対向して同じ磁極を有し、
前記長手方向軸１７６の周りに位置決めされたコイルアッセンブリが、
前記内部空洞１２４内の一部分に位置決めされたコア１１０、１３２であって、前記コア１１０、１３２は、その断面構造において、長手方向軸に平行な第１の長さを有し、前記第１の長さは、前記コア１１０、１３２の前記長手方向軸を横切る第２の長さよりも長い、前記コア１１０、１３２及び
前記コア１１０、１３２の周りに放射状に位置決めされた複数のコイル、を含み、
前記コイルアセンブリ１８２が前記部分的に磁性のトロイダルシリンダ１００に対して回転する、電気モータ／ジェネレータ。
【請求項３】
前記コア１１０、１３２が、その断面構造において、前記コア１１０、１３２の前記長手方向軸を横切る第２の長さよりも長い前記長手方向軸に平行な第１の長さを有する請求項１記載の電気モータ／ジェネレータ。
【請求項４】
前記磁気シリンダ外壁１０２が、前記第１の磁気側壁１７０又は前記第２の磁気側壁１７２の何れかよりも大きい磁気質量を有する請求項２記載の電気モータ／ジェネレータ。
【請求項５】
前記コア１１０、１３２を、前記長手方向軸１７６に長手方向に沿って位置決めされる長手方向軸１５２に結合するための、回転ハブ１３４を更に含む、請求項１又は２記載の電気モータ／ジェネレータ。
【請求項６】
前記部分的に磁性のシリンダ１００内に定められた横方向のスロット１６２、及び前記横方向のスロット１６２を通しての漏れ磁束を減少するための前記横方向のスロット１６２に近接して位置決めされた複数の磁石を更に含む、請求項１又は２記載の電気モータ／ジェネレータ。
【請求項７】
ＤＣ電圧を生成する方法であって、
磁気シリンダ外壁１０２、磁気シリンダ内壁１０４、第１の磁気側壁１７０、及び第２の磁気側壁１７２によって定められた内部空洞１２４内に、磁性集中領域を生成するステップであって、前記壁の各々が、前記内部空洞１２４に対向して同じの磁極を有しており、前記磁極シリンダ外壁１０２が、前記第１の磁気側壁１７０及び前記第２の磁気側壁１７２の何れかよりも大きい磁気質量を有している、前記ステップと、
コア１１０、１３２の一部を、前記磁性集中領域内に位置決めするステップと、
コイル１４８を、前記コア１１０、１３２に結合するステップと、
コア１１０、１３２に結合されている長手方向シャフト１５２を、該長手方向シャフト１５２を回転した時に、前記コイル１４８が前記磁性集中領域内に移動されるようにして、回転するステップと、
前記コイル１４８が、前記磁性集中領域内を移動する時に、前記コイル１４８内に電圧を発生するステップと、
前記コイル１４８から前記電圧を除去するステップと、を含む方法。
【請求項８】
長手方向シャフト１５２の半径方向運動を生成する方法が、
磁気シリンダ外壁１０２、磁気シリンダ内壁１０４、第１の磁気側壁１７０、及び第２の磁気側壁１７２によって定められた内部空洞１２４内に、磁性集中領域を生成するステップであって、前記壁の各々が、前記内部空洞１２４に対向して同じの磁極を有しており、前記磁極シリンダ外壁１０２が、前記第１の磁気側壁１７０及び前記第２の磁気側壁１７２の何れかよりも大きい磁気質量を有している、前記ステップと、
コア１１０、１３２の一部を、前記磁性集中領域内に位置決めするステップと、
コイル１４８を、前記コア１１０、１３２に結合するステップと、
前記コイル１４８を、前記磁性集中領域内へ半径方向に移動するステップと、
前記コイル１４８が、前記磁性集中領域内にある時に、前記コイル１４８に電流を加えて、前記コイル１４８に反発磁力を生成し、前記コイル１４８を移動するステップと、
前記コイル１４８を長手方向シャフト１５２に結合して、前記コイル１４８が移動した時に、前記長手方向シャフト１５２が半径方向に回転するようするステップと、を含む方法。
【請求項９】
前記コア１１０、１３２が、その断面構造において、長手方向軸に平行な第１の長さを有し、この第１の長さが前記長手方向軸を横切る前記コア１１０、１３２の第２の長さよりも長い、請求項７又は８記載の方法。
【請求項１０】
前記内部空洞１２４に隣接するスロット１６２に近接して複数の磁石を位置決めすることにより、前記磁性集中領域からの漏出磁束を低減することを更に含む、請求項７又は８記載の方法。
【手続補正２】
【補正対象書類名】明細書
【補正対象項目名】００７０
【補正方法】変更
【補正の内容】
【００７０】
以下に図３を参照すると、鉄心１３２、回転子ハブ１３４、及びシャフト１３６を備える組立体１３０の１つの実施形態の等角図が示されている。鉄心１３２は、上述のコア１１０と類似のものである。鉄心１３２及び回転子ハブ１３４は、本技術分野で公知の従来の締結方法を利用してシャフト１３６に締結する。特定の実施形態では、回転子ハブ１３４は、例えば、渦電流を発生しないように非鉄材料で構成することができる。磁性シリンダ１００に取り付けた場合、磁性シリンダ（図３には図示せず）の内壁１０４の横方向のスロット１６２（図３には図示せず）により、コア１３２及び回転子ハブ１３４の一部は、磁性シリンダ１００の内壁１０４を通って内部空洞１２４（図２ｂを参照されたい）に延びることができる。
【手続補正３】
【補正対象書類名】明細書
【補正対象項目名】００７１
【補正方法】変更
【補正の内容】
【００７１】
特定の実施形態では、一連の又は複数の磁石１３８を回転子ハブ１３４の外周に埋め込むことにより、横方向のスロット１６２を通る漏出磁束を低減又は排除することができる。複数の磁石１３８は、シリンダ１００（図３では図示せず）のシリンダ磁石１０６と同じ向きにすることができる。特定の実施形態では、複数の磁石１３８は、回転子と一緒に組立体１３０を移動することになる。
【手続補正４】
【補正対象書類名】明細書
【補正対象項目名】００７８
【補正方法】変更
【補正の内容】
【００７８】
特定の実施形態では、前述のコア１３２は、長手方向軸１７６の周りで、磁性シリンダ１００の内部空洞１２４に同心状に位置決めされる。前述のように、磁性シリンダ１００の内壁１０４に形成された横方向スロット１６２により、回転子ハブ１３４の一部を内部空洞１２４に位置決めすることができる。回転子ハブ１３４は、同様に磁性シリンダ１００の内部空洞１２４に位置決めされたコア１３２に結合される。
【手続補正５】
【補正対象書類名】明細書
【補正対象項目名】０１０２
【補正方法】変更
【補正の内容】
【０１０２】
図９ｃに示すように、磁性シリンダ３００は、３ｘブラシレス組立体とすることができ、磁石組立体（例えば、長手方向磁性シリンダ３１５、第１の側方の磁性リング３２０、及び第２の側の磁気３３０）は、トロイダルコイル組立体３１０が固定された状態で回転子として機能する。この構成は、導体リード線が単一の場所（図示せず）に至るコイルセグメントを使用して、モータ／ジェネレータ出力無段制御が必要な場合は可変電圧入力と組み合わせて、並列−直列接続の単純な切替えによって段階的な速度制御ができるという利点を有する。接続ハブ３１７は、磁性シリンダ３１５をシャフト３０２に従来方式で結合する。